(57)【要約】【課題】駆動摩擦部材と被駆動部材とを係合方向に付勢する付勢手段に、駆動摩擦部材との摺動部を設けることによって、安定した駆動制御を行うことができ、且つ、部品点数を減らすことのできるアクチュエータを提供する。【解決手段】アクチュエータ３４は、圧電素子４２と、圧電素子４２の端面に固着された駆動軸４４と、駆動軸４４に係合された連結駒４６と、連結駒４６に取りつけられて連結駒４６と駆動軸４４とを係合させる方向に付勢する押えばね５６を備える。押えばね５６は、駆動軸４４に摺動する第１摺動部５６Ｂと第２摺動部５６Ｃとを備え、この第１摺動部５６Ｂと第２摺動部５６Ｃとによって駆動軸４４とを挟持する。【選択図】  図５
2007049878.tif 000002
【特許請求の範囲】
【請求項１】
電気機械変換素子と、該電気機械変換素子の伸縮方向の一方側に取り付けられた駆動摩擦部材と、該駆動摩擦部材に係合された被駆動部材と、該被駆動部材に取りつけられて前記被駆動部材と前記駆動摩擦部材とを係合方向に付勢する付勢手段と、を備えたアクチュエータにおいて、
前記付勢手段は、前記駆動摩擦部材に摺動する摺動部を備え、該摺動部を介して前記駆動摩擦部材と前記被駆動部材が摩擦係合されることを特徴とするアクチュエータ。
【請求項２】
前記摺動部は、前記駆動摩擦部材を挟んで両側に設けられ、該両側の摺動部によって前記駆動摩擦部材が挟持されることを特徴とする請求項１に記載のアクチュエータ。
【請求項３】
前記被駆動部材には、ズームレンズの保持枠が取り付けられることを特徴とする請求項１又は２に記載のアクチュエータ。
【発明の詳細な説明】
【技術分野】
【０００１】
本発明はアクチュエータに係り、特にデジタルカメラや携帯電話機等の小型精密機器に搭載され、ズームレンズを駆動するアクチュエータに関する。
【背景技術】
【０００２】
デジタルカメラ等のレンズ部の駆動装置として圧電素子を用いたアクチュエータがある。例えば特許文献１のアクチュエータは、圧電素子の一方側に駆動軸が固着され、圧電素子の他方側が装置本体に固定される。駆動軸には鏡筒がスライド自在に支持されており、鏡筒は板ばねの付勢力を利用して駆動軸に摩擦係合される。圧電素子には、略鋸歯状の波形をした駆動パルスが印加され、圧電素子は伸び方向と縮み方向で異なる速度で変形する。例えば圧電素子が緩やかに変形すると、駆動軸とともに鏡筒が移動する。逆に、圧電素子が速く変形すると、鏡筒がその質量の慣性によって同じ位置に停まる。したがって、圧電素子に略鋸歯状の波形をした駆動パルスを繰り返し印加することによって、鏡筒を細かなピッチで間欠的に移動させることができる。
【特許文献１】特許第２６３３０６６号
【発明の開示】
【発明が解決しようとする課題】
【０００３】
しかしながら、従来のアクチュエータは、被駆動部材と駆動部材との摩擦力が不安定であり、安定した速度及び推力で被駆動部材を移動させることができない。
【０００４】
この問題を解消する方法としては、駆動部材と被駆動部材との間に、安定した摺動抵抗が得られる摺動部材を介在させる方法が考えられる。しかし、その場合には、摺動部材の分だけ部品点数が増えるため、組立性が低下したり、コストが上昇するという問題があった。さらに、摺動部材を設けた場合には、アクチュエータの駆動時に摺動部材の位置がずれるおそれがあり、その結果、摺動抵抗が変動して被駆動部材の速度及び推力が不安定になるという問題があった。
【０００５】
本発明はこのような事情に鑑みてなされたもので、安定した駆動制御を行うことができ、且つ、部品点数を減らすことのできるアクチュエータを提供することを目的とする。
【課題を解決するための手段】
【０００６】
請求項１に記載の発明は前記目的を達成するために、電気機械変換素子と、該電気機械変換素子の伸縮方向の一方側に取り付けられた駆動摩擦部材と、該駆動摩擦部材に係合された被駆動部材と、該被駆動部材に取りつけられて前記被駆動部材と前記駆動摩擦部材とを係合方向に付勢する付勢手段と、を備えたアクチュエータにおいて、前記付勢手段は、前記駆動摩擦部材に摺動する摺動部を備え、該摺動部を介して前記駆動摩擦部材と前記被駆動部材が摩擦係合されることを特徴とする。
【０００７】
請求項１の発明によれば、付勢手段が、駆動摩擦部材に摺動する摺動部を備えるので、別途、摺動部材を設ける必要がなく、部品点数を減らして組立性を向上させることができ、さらにコストを削減することができる。また、請求項１の発明によれば、付勢手段に摺動部が一体的に形成されているので、摺動部の位置がずれることがない。したがって、駆動摩擦部材と被駆動部材との摩擦力（摺動抵抗）を略一定に保つことができ、安定した駆動制御を行うことができる。
【０００８】
請求項２に記載の発明は請求項１の発明において、前記摺動部は、前記駆動摩擦部材を挟んで両側に設けられ、該両側の摺動部によって前記駆動摩擦部材が挟持されることを特徴とする。
【０００９】
請求項２の発明によれば、付勢手段の摺動部で駆動摩擦部材を挟持するので、摺動抵抗の変動をより抑制することができる。したがって、安定した駆動制御を行うことができる。
【００１０】
請求項３に記載の発明は請求項１又は２の発明において、前記被駆動部材には、ズームレンズの保持枠が取り付けられることを特徴とする。
【発明の効果】
【００１１】
本発明に係るアクチュエータによれば、付勢手段が駆動摩擦部材との摺動部を備えるので、別途、摺動部材を設ける必要がなく、部品点数を減らして組立性を向上させることができるとともにコストを削減することができ、さらに、摺動部の位置がずれて摩擦力が不安定になることを防止でき、安定した駆動制御を行うことができる。
【発明を実施するための最良の形態】
【００１２】
以下添付図面に従って本発明に係るアクチュエータの好ましい実施の形態について詳述する。
【００１３】
図１は本発明に係るアクチュエータが適用されたレンズ装置１０を示す斜視図であり、図２、図３はその内部構成を示す斜視図である。
【００１４】
図１に示すようにレンズ装置１０は、略矩形状に形成された本体１２を有し、この本体１２の内部に、図２、図３に示すズームレンズ（群）１４、１６を備える。ズームレンズ（群）１４、１６は一方が変倍レンズになっており、もう一方が補正レンズになっている。また、ズームレンズ（群）１４、１６はそれぞれ保持枠１８、２０に保持されており、この保持枠１８、２０は、二本のガイド軸２２、２４によって光軸Ｐ方向にスライド自在に支持されている。二本のガイド軸２２、２４は、本体１２内の対角位置に、且つ、光軸Ｐと平行に配置されており、本体１２に固定されている。
【００１５】
保持枠１８は、ガイド軸２２が挿通される挿通孔２６Ａを有するガイド部２６と、ガイド軸２４が係合されるＵ状の溝２８Ａを有する係合部２８とを備える。これにより、保持枠１８が二本のガイド軸２２、２４にガイドされ、ズームレンズ（群）１４が光軸Ｐ方向に移動自在に支持される。同様に、ズームレンズ１６の保持枠２０は、ガイド軸２４が挿通される挿通孔（不図示）を有するガイド部３０と、ガイド軸２２が係合されるＵ状の溝３２Ａを有する係合部３２とを備える。これにより、保持枠２０が二本のガイド軸２２、２４にガイドされ、ズームレンズ（群）１６が光軸Ｐ方向に移動自在に支持される。
【００１６】
ズームレンズ（群）１４、１６はそれぞれ、アクチュエータ３４、３６によって光軸Ｐ方向に駆動される。アクチュエータ３４とアクチュエータ３６は、本体１２の対向する面に配置される。具体的には、図１の本体１２の上面にズームレンズ（群）１４用のアクチュエータ３４が配置され、本体１２の下面にズームレンズ（群）１６用のアクチュエータ３６が配置される。以下、アクチュエータ３４について説明するが、アクチュエータ３６も同様に構成される。
【００１７】
なお、図１〜３の符号７２、７４は、保持枠１８や保持枠２０の位置を検出する位置検出装置である。位置検出装置７２は、反射型のフォトインタラプタであり、保持枠１８（或いは保持枠２０）に一体形成された板状の反射部７８に対向して配置され、本体１２（図１参照）の開口部１２Ａに嵌め込まれて固定される。反射部７８には、複数の反射体（不図示）が駆動方向に一定間隔で配置されている。したがって、位置検出装置７２から反射部７８に投光し、その反射光を受光し、光量の変化を検出することによって、反射部７８（すなわち保持枠１８、２０）の移動量を検出することができる。一方、位置検出装置７４は、投光部７４Ａと受光部７４Ｂとを有し、この投光部７４Ａと受光部７４Ｂとの間に、保持枠１８（或いは保持枠２０）に一体形成された板状の遮光部７６が挿抜される。したがって、遮光部７６が発光部７４Ａと受光部７４Ｂとの間に挿入されて受光部７４Ｂでの光量が変化することによって、遮光部７６（すなわち保持枠１８、２０）が所定の位置に移動したことを検知することができる。このように、位置検出装置７４で保持枠１８、２０の基準位置を検知し、位置検出装置７２で保持枠１８、２０の移動量を検出することによって、保持枠１８、２０の位置を正確に求めることができる。アクチュエータ３４、３６は、位置検出装置７２、７４の測定値に基づいて駆動制御される。
【００１８】
図４は、アクチュエータ３４の構成を示す斜視図である。同図に示すように、アクチュエータ３４は主として、固定枠４０、圧電素子（電気機械変換素子に相当）４２、駆動軸（駆動摩擦部材に相当）４４、連結駒（被駆動部材に相当）４６、取付金具４８によって構成されており、固定枠４０は、図１のレンズ装置１０の本体１２に固定される。
【００１９】
圧電素子４２は、レンズ装置１０の光軸Ｐ方向（以下、駆動方向という）に積層されて形成されており、電圧を印加することによって駆動方向に変形（伸縮）するように構成される。したがって、圧電素子４２は、電圧を印加することによって、長手方向の端面４２Ａ、４２Ｂが駆動方向に変位する。
【００２０】
圧電素子４２の端面４２Ａ、４２Ｂのうち、一方側の端面４２Ａには駆動軸４４の基端が固着され、他方側の端面４２Ｂには軟性の錘部材５８が接着されて固定される。
【００２１】
錘部材５８は、端面４２Ｂに負荷を与えることによって、端面４２Ｂが端面４２Ａよりも大きく変位することを防止する。したがって、錘部材５８としては、駆動軸４４よりも重量が大きいものが好ましい。また、錘部材５８は圧電素子４２及び駆動軸４４よりもヤング率の小さい材料が用いられ、例えば３００ＭＰａ以下の材質によって構成される。例えば、錘部材５８はウレタンゴムやウレタン樹脂等から成り、このゴムや樹脂に、比重を高くするためのタングステン等の金属粉末を混合して製造される。錘部材５８の比重は、小型化のためにできるだけ高いことが好ましく、例えば８〜１２程度に設定される。
【００２２】
錘部材５８は、圧電素子４２の反対側が、取付金具４８に接着されている。取付金具４８は、薄い金属板を屈曲させることによってコ状に形成されており、その両端の屈曲部分には開口部４８Ｂが形成される。取付金具４８は、この開口部４８Ｂを、固定枠４０の突起部４０Ｂに嵌合させることによって、固定枠４０に取り付けられる。これにより、圧電素子４２が錘部材５８、取付金具４８を介して固定枠４０に支持される。
【００２３】
このように支持された圧電素子４２は、端面４２Ｂが駆動方向に変位可能に支持される。すなわち、軟性の錘部材５８が膨張、収縮したり、或いは取付金具４８が撓むことによって、圧電素子４２の端面４２Ｂが駆動方向に変位することができる。
【００２４】
一方、圧電素子４２の端面４２Ａに固着された駆動軸４４は、円柱状に形成されており、その中心軸が駆動方向になるように配置される。この駆動軸４４は、固定枠４０に形成された二つの孔４０Ａ、４０Ａに挿通されてガイドされ、中心軸方向にスライド自在に支持される。駆動軸４４の材質は、黒鉛結晶を強固に複合させた黒鉛結晶複合体、例えばカーボングラファイトが用いられる。
【００２５】
図４に示すように駆動軸４４には、連結駒４６が係合されている。連結駒４６は、前述したズームレンズ１４の保持枠１８に連結されており、保持枠１８とともに光軸Ｐ方向（駆動方向）にスライド自在に支持される。また、連結駒４６は直方体状に形成されており、その四つの各コーナー部には上方に突出した突出部４６Ａ、４６Ａ…が設けられる。
【００２６】
図５は連結駒４６と駆動軸４４との連結部分の断面図である。同図に示すように、連結駒４６には押えばね５６が取り付けられる。押えばね５６は、ステンレス等の摺動性のよい金属板を屈曲させることによって構成されており、爪５６Ａを連結駒４６の下部に引っかけることによって連結駒４６に取りつけられる。また、押えばね５６は、駆動軸４４の上側に配置された第１摺動部５６Ｂと、駆動軸４４の下側に配置された第２摺動部５６Ｃとを備える。第１摺動部５６Ｂは逆Ｖ状に形成され、第２摺動部５６ＣはＶ状に形成されており、この第１摺動部５６Ｂと第２摺動部５６Ｃとで駆動軸４４を挟持するように構成される。これにより、連結駒４６と駆動軸４４とが、押えばね５６の第１摺動部５６Ｂ及び第２摺動部５６Ｃを介して摩擦係合される。なお、連結駒４６と駆動軸４４との摩擦力は、圧電素子４２に緩やかな電圧変化の駆動パルスを印加した際にその駆動力よりも摩擦力が大きくなるように、且つ、圧電素子４２に急激な電圧変化の駆動パルスを印加した際にその駆動力よりも摩擦力が小さくなるように設定される。その際、摩擦力（摺動抵抗）は１０ｇｆ以上３０ｇｆ以下が好ましく、１５ｇｆ以上２５ｇｆ以下がより好ましい。
【００２７】
上述した圧電素子４２には、図６（Ａ）、図６（Ｂ）に示す駆動パルスの電圧が印加される。図６（Ａ）は、図４の連結駒４６を左方向に移動させる際の駆動パルスであり、図６（Ｂ）は、図４の連結駒４６を右方向に移動させる際の駆動パルスである。
【００２８】
図６（Ａ）の場合、圧電素子４２には、時刻α１から時刻α２にかけて緩やかに立ち上がり、時刻α３で急激に立ち下がる略鋸歯状の駆動パルスを印加している。したがって、時刻α１から時刻α２では、圧電素子４２が緩やかに伸長する。その際、駆動軸４４が緩やかな速度で移動するので、連結駒４６は駆動軸４４とともに移動する。これにより、図４の連結駒４６を、左方向に移動させることができる。時刻α３では、圧電素子４２が急激に縮まるので、駆動軸４４は右方向に移動する。その際、駆動軸４４が急激に移動するので、連結駒４６は慣性によってその位置に停止したまま、駆動軸４４だけが移動する。したがって、図６（Ａ）に示した鋸歯状の駆動パルスを繰り返し印加することによって、図４の連結駒４６は、左方向への移動と停止を繰り返すので、左方向に移動させることができる。
【００２９】
図６（Ｂ）の場合、圧電素子４２には、時刻β１から時刻β２にかけて緩やかに立ち下がり、時刻β３で急激に立ち上がる略鋸歯状の駆動パルスを印加している。したがって、時刻β１から時刻β２では、圧電素子４２が緩やかに縮まる。その際、駆動軸４４が緩やかに変位するので、連結駒４６は駆動軸４４とともに移動する。これにより、図４の連結駒４６を、右方向に移動させることができる。時刻β３では、圧電素子４２が急激に伸長し、駆動軸４４は、左方向に移動する。その際、駆動軸４４が急激に移動するので、連結駒４６は慣性によってその位置に停止したまま、駆動軸４４だけが移動する。したがって、図６（Ｂ）に示した鋸歯状の駆動パルスを繰り返し印加することによって、図４の連結駒４６は右方向への移動と停止を繰り返すので、右方向に移動させることができる。
【００３０】
次に上記の如く構成されたアクチュエータ３４の作用について説明する。
【００３１】
図８は比較例のアクチュエータであり、駆動軸４４と連結駒４６との断面を示している。同図に示す比較例のアクチュエータは、押えばね５６とは別部材の第１摺動部材５２、第２摺動部材５４を設けている。すなわち、駆動軸４４の上側に第１摺動部材５２、下側に第２摺動部材５４を備えるとともに、押えばね５６で第１摺動部材５２を下方に付勢することによって、第１摺動部材５２と第２摺動部材５４を駆動軸４４に摩擦係合させている。このように構成されたアクチュエータは、連結駒４６が駆動軸４４に沿って移動した際に、第１摺動部材５２や第２摺動部材５４の位置がずれて摩擦力が不安定になりやすいという問題があった。また、第１摺動部材５２や第２摺動部材５４を押えばね５６と別に組み付ける必要があるため、組立性が悪いという問題があった。
【００３２】
これに対して、図５に示す本実施の形態のアクチュエータ３４は、押えばね５６が第１摺動部５６Ｂと第２摺動部５６Ｃとを備え、押えばね５６によって付勢手段と摺動部材とが兼用されている。したがって、摺動部材を別途設ける必要がなく、部品点数を減らして組立性を向上させることができるとともにコストを削減することができる。
【００３３】
また、本実施の形態によれば、押えばね５６に第１摺動部５６Ｂと第２摺動部５６Ｃを設け、この押えばね５６を連結駒４６に固定したので、第１摺動部５６Ｂや第２摺動部５６Ｃの位置がずれて摩擦力が変動するおそれがない。したがって、駆動軸４４と連結駒４６との摩擦力を略一定に保つことができ、安定した駆動制御を行うことができる。特に本実施の形態では、第１摺動部５６Ｂと第２摺動部５６Ｃとで駆動軸４４を挟持するようにしたので、常に略一定の摩擦力が得られ、より安定した駆動制御を行うことができる。
【００３４】
なお、上述した実施形態は、押えばね５６に第１摺動部５６Ｂと第２摺動部５６Ｃの両方を設けたが、一方のみであってもよい。例えば、図７は、押えばね５６に第１摺動部５６Ｂのみを設けた場合であり、第２摺動部材５４を別部材として設けている。このように第１摺動部５６Ｂを押えばね５６に設けた場合にも部品点数を減らすことができるので、組立性を向上させることができるとともに、摩擦力の変動を抑制して安定した駆動制御を行うことができる。同様に、押えばね５６に第２摺動部５６Ｃのみを設け、別部材から成る第１摺動部材を設けてもよい。
【００３５】
また、上述した実施形態は、押えばね５６の第１摺動部５６Ｂ、第２摺動部５６Ｃを逆Ｖ状或いはＶ状に形成したが、これに限定するものではなく、駆動軸４４に面接触するような円弧状に形成してもよい。
【００３６】
なお、本発明において錘部材５８の材質は、上述した軟性材料に限定されるものではなく、硬性材料のものを用いてもよいが、軟性材料のものを用いることが下記の点で好ましい。すなわち、軟性材料から成る錘部材５８を用いると、圧電素子４２、駆動摩擦部材４４、及び、錘部材５８から成る系の共振周波数が低くなる。共振周波数が低くなることで、圧電素子４２、駆動軸４４、及び、錘部材５８の構成のバラツキによる影響が少なくなり、安定した駆動力を得ることができる。また、共振周波数ｆ0 が低くなることで、駆動周波数ｆは、ｆ≧２1/2 ・ｆ0 、となる防振領域に設定しやすくなり、共振の影響が少なくなって安定した駆動力を得ることができる。これにより、圧電素子４２の伸縮による駆動力が、被駆動部材に確実に伝達されるので、被駆動部材を圧電素子４２の伸縮方向に正確に移動させることができる。さらに、共振周波数ｆ0 が小さくなって共振による影響が少なくなるので、アクチュエータの支持位置や支持方法を任意に選択することができ、例えば圧電素子４２の端面４２Ａや側面、駆動軸４４の側面や端面でアクチュエータを支持することができる。
【図面の簡単な説明】
【００３７】
【図１】本発明に係るアクチュエータが適用されたレンズ装置を示す斜視図
【図２】図１のレンズ装置の内部構成を示す斜視図
【図３】図２と異なる方向からのレンズ装置の斜視図
【図４】アクチュエータの構成を示す斜視図
【図５】駆動軸と連結駒の連結部分を示す断面図
【図６】圧電素子に印加される電圧の駆動パルスの例を示す図
【図７】図５と異なる構成の連結部分を示す断面図
【図８】比較例のアクチュエータの連結部分を示す断面図
【符号の説明】
【００３８】
１０…レンズ装置、１２…本体、１４、１６…ズームレンズ（群）、１８、２０…保持枠、３４、３６…アクチュエータ、４０…固定枠、４２…圧電素子、４４…駆動軸、４６…連結駒、４８…取付金具、５６…押えばね、５６Ｂ…第１摺動部、５６Ｃ…第２摺動部、５８…錘部材
【図１】
2007049878.tif 000003
【図２】
2007049878.tif 000004
【図３】
2007049878.tif 000005
【図４】
2007049878.tif 000006
【図５】
2007049878.tif 000007
【図６】
2007049878.tif 000008
【図７】
2007049878.tif 000009
【図８】
2007049878.tif 000010